(57)【要約】      （修正有）【課題】軽い力で確実に直線定規が固定出来る定規固定具を提供する。【解決手段】定規固定具は縦・横・板厚が所定寸法を有する正方形又は矩形状に形成した樹脂製等の軽量板と板の中央片面又は両面部に設けた滑り防止用のゴムや磁石や両面テープ等の固着部材から成り、且つ、該板には四方の各辺に直交し、複数種類の直線定規幅に対応可能な所定幅と直角部を有する定規固定部をそれぞれ設けた。【選択図】図１
0003111524.tif 000002
【実用新案登録請求の範囲】
【請求項１】
直線定規（ＬＲ）の一端又は両端部に当てて固定する定規固定具（ＦＴ）であって、該定規固定具（ＦＴ）は縦（Ｙ）・横（Ｘ）・板厚（Ｔ）が所定寸法を有する正方形又は矩形状に形成した板（１）と該板（１）の中央片面又は両面部に設けた固着部材（２）から成り、且つ、該板（１）には四方の各辺に直交し、複数種類の直線定規幅に対応可能な所定幅（Ｌ１）（Ｌ２）（Ｌ３）（Ｌ４）と直角部（１ａ’）（１ｂ’）（１ｃ’）（１ｄ’）を有する定規固定部（１ａ）（１ｂ）（１ｃ）（１ｄ）をそれぞれ設けた事を特徴とする定規固定具。
【考案の詳細な説明】
【技術分野】
【０００１】
この考案は、直線定規の一端又は両端部に当てて固定する定規固定具に関するものである。
【背景技術】
【０００２】
従来、直線定規を使用して線を引く際には、直線定規の中央部を片手で押さえ、もう一方の手で鉛筆やペンを持って線を引いていた。しかし、この方法は線を引く際に上下方向の外力が加わり、特に手や指に怪我等の刺傷を受けて手先が不自由な人等は直線定規が思うように固定出来ず、動いて上手く直線が引けない事が多々ある。
【０００３】
又、上記の如く直線定規が動かない様にする為には、片手でしっかり定規を押えておく必要があり、多数の線を引く時等には、腕に疲労感が残ったり、筋肉痛を起こしたりする事がある。
【０００４】
この考案に関連し、これまでに出願されている特許文献を紹介する。（特許文献１参照。）
【特許文献１】実開平６−０５５７９０
【考案の開示】
【考案が解決しようとする課題】
【０００５】
そこで、上記課題を解決する為に、この考案は誰もが簡単に使用出来て、軽い力で確実に直線定規が固定出来る定規固定具を開発・提供する事にある。
【課題を解決するための手段】
【０００６】
この課題を解決する為の手段として、定規固定具は縦・横・板厚が所定寸法を有する正方形又は矩形状に形成した板と該板の中央片面又は両面部に設けた固着部材から成り、且つ、該板には四方の各辺に直交し、複数種類の直線定規幅に対応可能な所定幅と直角部を有する定規固定部をそれぞれ設けたものである。
【考案の効果】
【０００７】
この考案の効果として、縦・横・板厚が所定寸法を有する正方形又は矩形状に形成した板と該板の中央片面又は両面部に設けた固着部材から成り、且つ、該板には四方の各辺に直交し、複数種類の直線定規幅に対応可能な所定幅と直角部を有する定規固定部をそれぞれ設けた事で、誰もが簡単に使用出来、且つ、軽い力で確実に直線定規が固定出来る。
【０００８】
又、軽量、且つ、構造が簡単で部品点数が少ない為、コスト的にも安価に製造出来、壊れ難い等、極めて有益なる効果を奏するものである。
【考案を実施するための最良の形態】
【０００９】
この考案の最良の形態として、定規固定部の幅寸法は既設の標準規格の直線定規幅に適合した寸法に設定する事が望ましい。
【実施例１】
【００１０】
そこで、この考案の一実施例を図１〜図２に基づいて詳述すると、直線定規（ＬＲ）の一端又は両端部に当てて固定する定規固定具（ＦＴ）であって、該定規固定具（ＦＴ）は縦（Ｙ）・横（Ｘ）・板厚（Ｔ）が所定寸法を有する正方形又は矩形状に形成した樹脂製等の軽量板（１）と該板（１）の中央片面又は両面部に設けた滑り防止用のゴムや磁石や両面テープ等の固着部材（２）から成り、且つ、該板（１）には四方の各辺に直交し、複数種類の直線定規幅に対応可能な所定幅（Ｌ１）（Ｌ２）（Ｌ３）（Ｌ４）と直角部（１ａ’）（１ｂ’）（１ｃ’）（１ｄ’）を有する定規固定部（１ａ）（１ｂ）（１ｃ）（１ｄ）をそれぞれ設けた事を特徴とする定規固定具から構成される。
【００１１】
次に、この考案の一実施例の詳細について説明すると、図１に示す様に板は、縦（Ｙ）・横（Ｘ）寸法が８０ｍｍ正方形で板厚（Ｔ）寸法が８ｍｍの樹脂製で形成され、板の四方の各辺に直交し、複数種類の直線定規（ＬＲ）の幅に対応可能な定規固定部の所定幅（Ｌ１）（Ｌ２）（Ｌ３）（Ｌ４）は２４．６ｍｍと、３５ｍｍと、４５ｍｍと、５５ｍｍの４種類に設定されている。
【００１２】
そして、板（１）の中央両面には縦・横寸法が４０ｍｍの正方形状で深さが約１ｍｍの固着部材（２）埋め込み用溝（１ｆ）を設け、その部分にスポンジラバー製固着部材（２）を埋め込んで接着剤で固着している。
【００１３】
又、定規固定具（ＦＴ）の定規固定部は彫り込み口の上部に傾斜角を設ける事で、図３（Ａ）に示す様に、鉛筆（Ｐ）の先端が直線定規の端部まで届き、効率的に線が引ける様に成っている。
【００１４】
次に、この考案の使用方法について説明すると、直線定規の片側のみを固定する場合は、図３（Ｂ）及び図４に示す様に直線定規（ＬＲ）の幅に適合する固定部（１ａ）（１ｂ）（１ｃ）（１ｄ）を使用して左又は右側の片方に定規固定具（ＦＴ）を直角部（１ａ’）（１ｂ’）（１ｃ’）（１ｄ’）が下向きに成る様に定規の底面と側面と右上角部（３箇所）をピッタリ固定して当てて直線定規（ＬＲ）の左端部を片手で軽く押えながら固定してもう一方の手で鉛筆を握って線を引く。尚、定規固定具（ＦＴ）の部材が軽量な為、必要に応じて板の上部に文鎮（Ｗ）を載せて使用しても良い。又、図３（Ｃ）に示す様に直線定規の底面と右上角部（２箇所）を固定して使用しても良い。
【００１５】
又、直線定規（ＬＲ）の左右両側を固定する場合は、図５に示す様に直線定規（ＬＲ）の両端部に定規固定具（ＦＴ）を直角部（１ａ’）（１ｂ’）（１ｃ’）（１ｄ’）が下向きに成る様にして当てて直線定規（ＬＲ）の中央部を片手で軽く押えながら固定してもう一方の手で鉛筆を握って線を引く。
【実施例２】
【００１６】
その他の実施例として、図６に示す様に定規固定部（１ｅ）の片側をフラットに切り欠いで、固着部材（２’）を板（１’）の裏全面に貼着して使用しても良い。
【産業上の利用可能性】
【００１７】
この考案の定規固定具は、誰もが簡単に使用でき、軽い力で確実に直線定規が固定でき、且つ、軽量で構造が簡単で部品点数が少ない為、コスト的にも安価に製造出来、壊れ難い為、多くの市場に寄与する点で産業上の利用可能性を有する。
【図面の簡単な説明】
【００１８】
【図１】この考案の一実施例を示し、（Ａ）は平面図で、（Ｂ）は正面図で、（Ｃ）は底面図である。
【図２】この考案の一実施例を示し、（Ａ）は右側面図で、（Ｂ）は図１（Ｂ）のａ−ａ矢視断面図である。
【図３】この考案の使用例を示し、（Ａ）は定規の端部まで線引きが可能である事を示す説明図で、（Ｂ）は定規の３箇所を固定時の説明図で、（Ｃ）は定規の２箇所を固定時の説明図である。
【図４】この考案の使用例を示し、直線定規の右側一端に定規固定具を当てて両手を使用して線引き時の斜視図である。
【図５】この考案の使用例を示し、直線定規の左右両端に定規固定具を当てて片手を使用して線引き時の斜視図である。
【図６】この考案のその他の実施例を示し、（Ａ）は平面図で、（Ｂ）は正面図で、（Ｃ）は底面図である。
【符号の説明】
【００１９】
１  板
１’  板
１ａ  定規固定部
１ｂ  定規固定部
１ｃ  定規固定部
１ｄ  定規固定部
１ｅ  定規固定部
１ｆ  固着部材埋め込み用溝
１ａ’  直角部
１ｂ’  直角部
１ｃ’  直角部
１ｄ’  直角部
２  固着部材
２’  固着部材
ＦＴ  定規固定具
Ｌ１  所定幅
Ｌ２  所定幅
Ｌ３  所定幅
Ｌ４  所定幅
Ｌ５  所定幅
ＬＲ  直線定規
Ｐ  鉛筆
Ｔ  板厚
Ｗ  文鎮
Ｘ  横
Ｙ  縦
【図１】
0003111524.tif 000003
【図２】
0003111524.tif 000004
【図３】
0003111524.tif 000005
【図４】
0003111524.tif 000006
【図５】
0003111524.tif 000007
【図６】
0003111524.tif 000008